(57)【要約】【課題】アプリケーションにおける状態変化に関連する情報をユーザに確認させる際の操作性を向上する。【解決手段】携帯端末１００は、所定のアプリを起動させるためのアプリアイコンＡｉを第２液晶パネル１０５Ａに表示させ、当該アプリにおいて新着情報が取得されたことを検出したときに、当該新着情報の総件数を示すと共に当該アプリにおける新着概要情報を表示させるための新着アイコンＮｉを第２液晶パネル１０５Ａに表示させることにより、ユーザに、当該アプリにおいて新着情報が取得されたことを通知できる共に、第２タッチパネル１０５Ａを介して新着アイコンＮｉを選択するという容易な操作を行わせるだけで、当該新着概要情報を確認させることができ、かくして当該新着概要情報をユーザに確認させる際の操作性を向上することができる。【選択図】図１１
2011053790.tif 000002
【特許請求の範囲】
【請求項１】
所定のアプリケーションを起動させるための第１のアイコンを表示部に表示させ、当該アプリケーションにおける状態変化を検出したときに、当該状態変化を示すと共に当該状態変化に関連する情報を表示させるための第２のアイコンを当該表示部に表示させる制御部
を具える情報処理装置。
【請求項２】
上記制御部は、
入力部を介して上記第２のアイコンが選択されると、上記アプリケーションとは異なる上記状態変化に関連する情報を表示させるためのプログラムを起動させる
請求項１に記載の情報処理装置。
【請求項３】
上記制御部は、
上記プログラムにより表示された上記状態変化に関連する情報に対する操作が上記入力部を介して行われると、上記アプリケーションを起動させ、上記状態変化に関連する情報を初期表示させる
請求項２に記載の情報処理装置。
【請求項４】
上記制御部は、
上記第１のアイコン及び上記第２のアイコンを第１の表示部に表示させ、入力部を介して上記第２のアイコンが選択されると、上記状態変化に関連する情報を第２の表示部に表示させる
請求項１に記載の情報処理装置。
【請求項５】
上記制御部は、
入力部を介して上記第２のアイコンが選択されると、上記アプリケーションを起動させ、上記状態変化に関連する情報を初期表示させる
請求項１に記載の情報処理装置。
【請求項６】
上記制御部は、
上記状態変化に応じて上記第２のアイコンの表示形態を変化させる
請求項１に記載の情報処理装置。
【請求項７】
上記制御部は、
入力部を介して上記第２のアイコンが選択されると、上記第１のアイコン及び上記第２のアイコンを表示させたまま、上記状態変化に関連する情報を表示させる
請求項１に記載の情報処理装置。
【請求項８】
上記制御部は、
入力部を介して上記第２のアイコンが選択されると、上記状態変化に関連する情報を上記表示部に表示させ、上記第２のアイコンに対する操作入力に基づいて、当該状態変化に関連する情報に対する操作入力を受け付ける
請求項１に記載の情報処理装置。
【請求項９】
上記制御部は、
入力部を介して上記第２のアイコンを上記第１のアイコンにドラッグさせる操作が行われると、上記アプリケーションを起動させ、上記状態変化に関連する情報を初期表示させる
請求項１に記載の情報処理装置。
【請求項１０】
上記制御部は、
上記第２のアイコンを所定の領域にドラッグさせる操作が入力部を介して行われると、上記第２のアイコンを非表示にする
請求項１に記載の情報処理装置。
【請求項１１】
ユーザの手により把持される筐体と、
上記筐体の一面に設けられた、入力部及び上記表示部としてのタッチスクリーンと
を具え、
上記制御部は、
上記筐体がユーザの手により把持されたときに当該ユーザの指がタッチ可能な上記タッチスクリーン上の所定の領域内に上記第１のアイコン及び上記第２のアイコンを表示させる
請求項１に記載の情報処理装置。
【請求項１２】
情報処理装置が、所定のアプリケーションを起動させるための第１のアイコンを表示部に表示させ、当該アプリケーションにおける状態変化を検出したときに、当該状態変化を示すと共に当該状態変化に関連する情報を表示させるための第２のアイコンを当該表示部に表示させる
表示方法。
【請求項１３】
コンピュータに、
所定のアプリケーションを起動させるための第１のアイコンを表示部に表示させる表示ステップと、
上記アプリケーションにおける状態変化を検出したときに、当該状態変化を示すと共に当該状態変化に関連する情報を表示させるための第２のアイコンを上記表示部に表示させる他の表示ステップと
を実行させるための表示プログラム。
【発明の詳細な説明】
【技術分野】
【０００１】
本発明は、情報処理装置、表示方法及び表示プログラムに関し、例えばアプリケーションを起動させるためのアイコンを表示させる際に適用して好適なものである。
【背景技術】
【０００２】
近年パーソナルコンピュータ等の情報処理装置では、所定のアプリケーション（これをアプリとも呼ぶ）を起動させるためのアイコン（いわゆるショートカット）をデスクトップ画面などに表示させるものがある。
【０００３】
このような情報処理装置としては、例えば、アプリの所定の機能を起動させるためのショートカットをユーザ入力に基づいてデスクトップ画面上などに作成するものが提案されている（例えば、特許文献１参照）。
【０００４】
またこのような情報処理装置として、例えばアプリにおける新着情報（例えばメールアプリであれば新着メール等）の件数を、当該アプリを起動させるためのアイコンと共に表示させるものも提案されている。
【先行技術文献】
【特許文献】
【０００５】
【特許文献１】特開２００４−１０２４５７号公報
【発明の概要】
【発明が解決しようとする課題】
【０００６】
ところで上述した情報処理装置では、アプリを起動させるためのアイコンと共にアプリにおける新着情報の件数を表示させることにより、ユーザに対してアプリにおいて新着情報が取得されたことを通知できるようになされている。
【０００７】
しかしながら、実際にユーザが当該アプリにおける新着情報の内容を確認するには、入力部を介して当該アプリを起動させるためのアイコンを選択する操作を行い、上述した情報処理装置に当該アプリを起動させなければならない。さらにその後ユーザは、入力部を介して当該アプリにおける新着情報の内容を表示させるための所定の操作を行わなければならない。
【０００８】
つまり上述した情報処理装置では、アプリにおける新着情報の内容などアプリにおける状態変化に関連する情報をユーザに確認させる際に、ユーザに面倒な操作を行わせなければならなかった。
【０００９】
本発明は以上の点を考慮してなされたもので、アプリケーションにおける状態変化に関連する情報をユーザに確認させる際の操作性を向上し得る情報処理装置、表示方法及び表示プログラムを提案しようとするものである。
【課題を解決するための手段】
【００１０】
かかる課題を解決するため本発明においては、所定のアプリケーションを起動させるための第１のアイコンを表示部に表示させ、当該アプリケーションにおける状態変化を検出したときに、当該状態変化を示すと共に当該状態変化に関連する情報を表示させるための第２のアイコンを表示部に表示させる制御部を設けるようにした。
【００１１】
これにより、ユーザに、所定のアプリケーションにおける状態変化を通知できると共に、入力部を介して第２のアイコンを選択するという容易な操作を行わせるだけで、当該状態変化に関連する情報を確認させることができる。
【発明の効果】
【００１２】
本発明によれば、ユーザに、所定のアプリケーションにおける状態変化を通知することができる共に、入力部を介して第２のアイコンを選択するという容易な操作を行わせるだけで、当該状態変化に関連する情報を確認させることができる。かくしてアプリケーションにおける状態変化に関連する情報をユーザに確認させる際の操作性を向上し得る情報処理装置、表示方法及び表示プログラムを実現できる。
【図面の簡単な説明】
【００１３】
【図１】第１の実施の形態の概要を示す機能ブロック図である。
【図２】第１の実施の形態における携帯端末の外観構成を示す略線図である。
【図３】第１の実施の形態における携帯端末のハードウェア構成を示すブロック図である。
【図４】ホーム画面（１）の説明に供する略線図である。
【図５】ホーム画面（２）の説明に供する略線図である。
【図６】ホーム画面（３）の説明に供する略線図である。
【図７】ホーム画面（４）の説明に供する略線図である。
【図８】ビデオ購入アプリにおける画面の説明に供する略線図である。
【図９】新着概要情報登録処理手順を示すフローチャートである。
【図１０】新着アイコン表示処理手順を示すフローチャートである。
【図１１】アイコン選択処理手順を示すフローチャートである。
【図１２】第２の実施の形態の概要を示す機能ブロック図である。
【図１３】第２の実施の形態における携帯端末の外観構成を示す略線図である。
【図１４】第２の実施の形態における携帯端末のハードウェア構成を示すブロック図である。
【図１５】第２の実施の形態におけるホーム画面（１）の説明に供する略線図である。
【図１６】第２の実施の形態におけるホーム画面（２）の説明に供する略線図である。
【図１７】第２の実施の形態におけるホーム画面（３）の説明に供する略線図である。
【図１８】他の実施の形態におけるアイコン選択処理手順を示すフローチャートである。
【図１９】他の実施の形態におけるホーム画面（１）の説明に供する略線図である。
【図２０】他の実施の形態におけるホーム画面（２）の説明に供する略線図である。
【発明を実施するための形態】
【００１４】
以下、発明を実施するための最良の形態（以下実施の形態とする）について説明する。尚、説明は以下の順序で行う。
１．第１の実施の形態（２つの表示部を有する例）
２．第２実施の形態（１つの表示部を有する例）
３．他の実施の形態
【００１５】
＜１．第１の実施の形態＞
［１−１．第１の実施の形態の概要］
まず、第１の実施の形態の概要を説明する。この概要を説明した後、本実施の形態の具体例の説明に移る。
【００１６】
図１において１は、情報処理装置を示す。この情報処理装置１は、制御部２を有している。制御部２は、所定のアプリケーションを起動させるための第１のアイコンを第１の表示部３に表示させるようになされている。
【００１７】
また制御部２は、当該アプリケーションにおける状態変化を検出したときに、当該状態変化を示すと共に当該状態変化に関連する情報を表示させるための第２のアイコンを第１の表示部３に表示させるようになされている。
【００１８】
さらに制御部２は、入力部４を介して第２のアイコンが選択されると、当該状態変化に関連する情報を第２の表示部５に表示させるようになされている。
【００１９】
このような構成により情報処理装置１は、ユーザに、所定のアプリケーションにおける状態変化を通知できる。これと共に、情報処理装置１は、入力部４を介して第２のアイコンを選択するという容易な操作を行わせるだけで、当該状態変化に関連する情報を確認させることができる。
【００２０】
このような構成でなる情報処理装置１の具体例について、以下、詳しく説明する。
【００２１】
［１−２．携帯端末の外観構成］
次に、図２を用いて、上述した情報処理装置１の具体例である携帯端末１００の外観構成について説明する。
【００２２】
携帯端末１００では、第１筐体１０１及び第２筐体１０２が例えばヒンジ等でなる連結部１０３Ａ及び１０３Ｂにより互いに離れる方向又は近づく方向へ回転可能に連結されると共に、電気的に接続されている。
【００２３】
第１筐体１０１及び第２筐体１０２は、それぞれ片手で把持し得る程度の大きさでなる略扁平矩形状である。
【００２４】
第１筐体１０１の前面１０１Ａの中央部には、長方形状の第１タッチスクリーン１０４が設けられている。また第２筐体１０２の前面１０２Ａの中央部には、第１タッチスクリーン１０４と同様の形状及び大きさでなる第２タッチスクリーン１０５が設けられている。
【００２５】
第１タッチスクリーン１０４及び第２タッチスクリーン１０５は、ユーザの指（ペンなどでも可）によるタッチ操作が可能な表示デバイスである。また携帯端末１００では、例えば第１タッチスクリーン１０４が上画面、第２タッチスクリーン１０５が下画面としてユーザに使用されるようになされている。
【００２６】
また、第２タッチスクリーン１０５の両側には、各種ハードウェアボタンが設けられている。
【００２７】
［１−３．携帯端末のハードウェア構成］
次に図３を用いて、携帯端末１００のハードウェア構成について説明する。携帯端末１００では、ＣＰＵ１２０、ＲＯＭ１２１、ＲＡＭ１２２がホストバス１２３を介して接続されている。因みに、ＣＰＵは、Central  Processing  Unitの略である。また、ＲＯＭは、Read  Only  Memoryの略、ＲＡＭは、Random  Access  Memoryの略である。
【００２８】
携帯端末１００は、ＣＰＵ１２０が、ＲＯＭ１２１などに書き込まれた基本プログラム（ＯＳ）、アプリケーション（アプリ）などの各種プログラムをＲＡＭ１２２にロードして実行することで各種処理を実行するようになされている。因みに、ＯＳは、Operating  Systemの略である。またアプリケーションとは、携帯端末１００における機能を実現するソフトウェアのことをいう。
【００２９】
またホストバス１２３は、ブリッジ１２４を介して外部バス１２５と接続されている。また外部バス１２５は、インターフェース１２６を介して、操作部１２７、第１液晶パネル１０４Ａ、第１タッチパネル１０４Ｂ、第２液晶パネル１０５Ａ、第２タッチパネル１０５Ｂと接続されている。また外部バス１２５は、インターフェース１２６を介して、記憶部１２８、ドライブ１２９、接続ポート１３０、無線通信部１３１とも接続されている。
【００３０】
ＣＰＵ１２０は、インターフェース１２６、外部バス１２５、ホストバス１２３を順次介して送られてきた第１タッチパネル１０４Ｂ、第２タッチパネル１０５Ｂ、操作部１２７からの入力信号に応じて各部を制御するようになされている。
【００３１】
第１タッチパネル１０４Ｂは、第１液晶パネル１０４Ａと共に上述した第１タッチスクリーン１０４を構成するデバイスである。また第２タッチパネル１０５Ｂは、第２液晶パネル１０５Ａと共に上述した第２タッチスクリーン１０５を構成するデバイスである。
【００３２】
第１タッチパネル１０４Ｂは、第１タッチパネル１０４Ｂ上の任意の位置が指でタッチされると、タッチされた位置（すなわちタッチ位置）の座標を検知し、このタッチ位置の座標を示す入力信号をＣＰＵ１２０に送る。
【００３３】
ＣＰＵ１２０は、第１タッチパネル１０４Ｂから送られてくる入力信号からタッチ位置の座標を取得すると、この座標を第１液晶パネル１０４Ａの画面座標に変換することで、第１液晶パネル１０４Ａの画面上のどの位置がタッチされたかを認識する。
【００３４】
そしてＣＰＵ１２０は、一定時間ごとに送られてくる入力信号より取得したタッチ位置の座標を、順次第１液晶パネル１０４Ａの画面座標に変換していくことで、タッチ位置がどのように動いたのか（すなわちタッチ位置の軌跡）を認識する。
【００３５】
そしてＣＰＵ１２０は、このようにして認識したタッチ位置とその軌跡とに基づいて、第１液晶パネル１０４Ａの画面上のどの位置に対して、どのようなタッチ操作が行われたのかを判別するようになされている。
【００３６】
同様にして第２タッチパネル１０５Ｂも、検知したタッチ位置の座標を示す入力信号をＣＰＵ１２０に送る。ＣＰＵ１２０は、当該入力信号から、第２液晶パネル１０５Ａの画面上のどの位置に対して、どのようなタッチ操作が行われたのかを判別するようになされている。
【００３７】
操作部１２７は、各種ハードウェアボタンなどからなるデバイスであり、これらの操作に応じた入力信号をＣＰＵ１２０に送る。ＣＰＵ１２０は、操作部１２７から送られてくる入力信号に基づいて、どのハードウェアボタンが操作されたかを判別するようになされている。
【００３８】
またＣＰＵ１２０は、接続ポート１３０により近傍の外部装置ＯＣと機器間接続することで、外部装置ＯＣと直接通信するようになされている。
【００３９】
またＣＰＵ１２０は、無線通信部１３１により、アクセスポイントを介してインターネットＮＴに接続することで、インターネットＮＴ上のサーバなど他の装置と通信するようになされている。
【００４０】
またＣＰＵ１２０は、ユーザ操作などに応じて、接続ポート１３０又は無線通信部１３１を介して他の装置と通信した結果、例えばコンテンツデータ（動画像データ、楽曲データなど）を取得したときには、これを記憶部１２８に記憶させる。なおＣＰＵ１２０は、ドライブ１２９にリムーバブル記録媒体ＲＷ（例えば光ディスクやフラッシュメモリなど）が挿入されている場合には、ユーザ操作に応じて、コンテンツデータをリムーバブル記録媒体ＲＷに記憶させるようになされている。
【００４１】
［１−４．ホーム画面］
次に、携帯端末１００の画面の１つであるホーム画面について説明する。ホーム画面は、ＣＰＵ１２０の表示制御により表示されるＧＵＩ（Graphical  User  Interface）画面である。
【００４２】
ＣＰＵ１２０は、電源ボタン（図示せず）が押下されて携帯端末１００の電源がオンされると、図４に示すように、ホーム画面として第１ホーム画面Ｈｇ１を第１液晶パネル１０４Ａに表示させる。またこれと共にＣＰＵ１２０は、ホーム画面として第２ホーム画面Ｈｇ２を第２液晶パネル１０５Ａに表示させる。
【００４３】
第１ホーム画面Ｈｇ１は、画面の上辺に沿って配された横長細帯状の領域Ｒ１と、それ以外の領域Ｒ２とで構成される。領域Ｒ１には、例えば、後述する新着アイコンＮｉを表示させるよう設定されたアプリを示すアイコンＨｉ（Ｈｉ１〜Ｈｉ３）や、携帯端末１００の状態（例えば電池残量、無線通信の電波強度など）を示すアイコンなどが表示される。一方、領域Ｒ２には、起動中のアプリに対応するウィンドウやウィジェット（例えば時計機能やカレンダー機能を有するウィジェットなど）に対応するアイコンなどが表示される。
【００４４】
第２ホーム画面Ｈｇ２は、画面の右辺に沿って配された縦長細帯状の領域Ｒ３と、それ以外の領域Ｒ４とで構成される。領域Ｒ３には、吹き出し形状でなる概要アイコンＧｉ（後述する）などが表示される。
【００４５】
領域Ｒ４には、所定のアプリを起動させるための複数のアプリアイコンＡｉ（Ａｉ１〜Ａｉｎ）がマトリクス状に配置されて表示される。またアプリアイコンＡｉの下側には、当該アプリアイコンＡｉに対応するアプリの名称が表示される。
【００４６】
図４に示す第２ホーム画面Ｈｇ２では、一例として、例えば動画像（つまりビデオ）の購入及びダウンロード機能を持ったアプリ（これをビデオ購入アプリとも呼ぶ）を起動させるためのアプリアイコンＡｉ１が最も左上に表示されている。またアプリアイコンＡｉ１の右隣にはＲＳＳ（RDF  Site  Summary／Rich  Site  Summary）リーダを起動させるためのアプリアイコンＡｉ２が表示されている。またアプリアイコンＡｉ２の右隣にはメールアプリを起動させるためのアプリアイコンＡｉ３が表示されている。
【００４７】
ＣＰＵ１２０は、ユーザにより第２タッチパネル１０５Ｂを介してアプリアイコンＡｉに対するタップ操作（タッチパネルに指をタッチさせた後すぐに離す操作）が行われると、当該アプリアイコンＡｉが選択されたことを認識する。
【００４８】
そしてＣＰＵ１２０は、当該アプリアイコンＡｉに対応するアプリを起動させ、当該アプリのトップ画面（通常、初期表示されるよう設定されている画面）をホーム画面に代わって表示させる。このようなアプリの起動を、以下、アプリの通常設定での起動とも呼ぶ。
【００４９】
また第２ホーム画面Ｈｇ２では、各アプリにおいて新着情報が取得された場合、新着情報の件数を示す新着アイコンＮｉ（Ｎｉ１〜Ｎｉｎ）が表示される。この新着アイコンＮｉは、上述した概要アイコンＧｉと同様の吹き出し形状であり、対応するアプリアイコンＡｉの右上に当該新着アイコンＮｉの一部を重ねるようにして表示される。
【００５０】
例えばビデオ購入アプリを起動させるためのアプリアイコンＡｉ１の右上には、新着情報の件数として、ビデオ購入アプリで購入可能な新着ビデオの総件数を示す新着アイコンＮｉ１が表示される。
【００５１】
またＲＳＳリーダを起動させるためのアプリアイコンＡｉ２の右上には、新着情報の件数として、ＲＳＳリーダで予め設定されているＷｅｂサイトの更新情報の総件数を示す新着アイコンＮｉ２が表示される。
【００５２】
またメールアプリを起動させるためのアプリアイコンＡｉ３の右上には、新着情報の件数として、携帯端末１００宛の新着メールの総件数を示す新着アイコンＮｉ３が表示される。
【００５３】
ここで、第２タッチパネル１０５Ｂを介して例えば新着アイコンＮｉ３（メールアプリに対応）に対するタップ操作が行われたとする。するとＣＰＵ１２０は、新着アイコンＮｉ３が選択されたことを認識し、図５に示すように、新着アイコンＮｉ３の色を変化させると共にそれまで表示されていた形状よりもひとまわり大きな形状で表示させる。
【００５４】
またこのときＣＰＵ１２０は、新着アイコンＮｉ３に対応するメールアプリを起動させるのではなく、各アプリにおける新着情報の概要を示す情報（これを、新着概要情報とも呼ぶ）を表示させるためのプログラムを起動させる。尚このプログラムを、新着概要表示プログラムとも呼ぶ。そしてＣＰＵ１２０は、各アプリにおける新着概要情報を表示させるウィンドウ（これを、新着概要ウィンドウとも呼ぶ）Ｎｗを、第１ホーム画面Ｈｇ１の領域Ｒ２全体に表示させる。
【００５５】
なおこの各アプリにおける新着概要情報を表示させる機能は、例えば携帯端末１００のＯＳが有する機能であってもよい。また例えば、当該機能を有するプログラムを携帯端末１００にインストールして、当該機能を実現するようにしてもよい。
【００５６】
新着概要ウィンドウＮｗは、当該新着概要ウィンドウＮｗの下辺に沿って配された横長細帯状の領域Ｒ５とそれ以外の領域Ｒ６とから構成される。領域Ｒ５には、新着概要表示プログラムの起動を終了し、新着概要ウィンドウＮｗを閉じるための閉じるボタンＢｃが表示される。また領域Ｒ５には、新着概要情報をユーザにより確認済として設定するための確認済ボタンＢｎが表示される。この確認済ボタンＢｎについて詳しくは後述する。
【００５７】
領域Ｒ６には、アプリごとに階層的に構成された新着概要情報が表示される。この新着概要情報は、例えば上階層として各アプリにおける新着情報の種類や総件数などを示す上階層行Ｌｕ（Ｌｕ１〜Ｌｕ３）と、下階層として各アプリにおける新着概要情報の詳細を示す下階層行Ｌｄ（Ｌｄ１〜Ｌｄ３）とから構成される。上階層行Ｌｕ及び下階層行Ｌｄは横長細帯状であり、領域Ｒ６には、表示可能な分の上階層行Ｌｕ及び下階層行Ｌｄが表示される。
【００５８】
具体的にＣＰＵ１２０は、選択された新着アイコンＮｉ３に対応するアプリ（ここではメールアプリ）の上階層行Ｌｕ１を、領域Ｒ６の一番上に表示させる。この上階層行Ｌｕ１には、メールアプリの名称、新着メールの総件数、未読メールの総件数、新着メールの取得日時などが表示される。なお未読メールとは、ユーザにより新着メールとして確認された（つまり確認済ボタンＢｎにより確認済と設定された）が、メールアプリにおいて未読の状態にあるメールのことである。
【００５９】
またＣＰＵ１２０は、メールアプリの上階層行Ｌｄ１の下側に、選択された新着アイコンＮｉに対応するアプリ（つまりメールアプリ）の下階層行Ｌｄ１を表示させる。この下階層行Ｌｄ１には、メールアプリにおいて設定されているフォルダごとの新着メールの件数及び未読メールの件数などを示すフォルダ行Ｌｆ（Ｌｆ１〜Ｌｆ４）が表示される。尚この場合、メールアプリにおいてフォルダ（例えば送信元ごとのフォルダなど）ごとに受信したメールが振り分けられるよう設定されているとする。
【００６０】
またＣＰＵ１２０は、メールアプリの下階層行Ｌｄ１の下側に、ＲＳＳリーダの上階層行Ｌｕ２を表示させる。この上階層行Ｌｕ２には、ＲＳＳリーダの名称、ＲＳＳリーダにおいて設定されているＷｅｂサイトにおける更新情報の総件数、未読情報の総件数、更新情報の取得日時などが表示される。この未読情報とは、ユーザにより更新情報として確認された（つまり確認済ボタンＢｎにより確認済と設定された）が、ＲＳＳリーダにおいて未読の状態にある情報のことである。
【００６１】
またＣＰＵ１２０は、ＲＳＳリーダの上階層行Ｌｕ２の下側にビデオ購入アプリの上階層行Ｌｕ３を表示させる。この上階層行Ｌｕ３には、ビデオ購入アプリの名称、ビデオ購入アプリで購入可能な新着ビデオの総件数、新着ビデオの情報の取得日時などが表示される。
【００６２】
なおこのときＣＰＵ１２０は、選択されていない新着アイコンＮｉに対応するアプリ（ここではビデオ購入アプリ及びＲＳＳリーダ）については、下階層行Ｌｄを表示させないようになされている。
【００６３】
このようにＣＰＵ１２０は、新着アイコンＮｉが選択されると、新着概要ウィンドウＮｗを表示させ、複数のアプリの上階層行Ｌｕを表示させることにより、ユーザに複数のアプリにおける新着概要情報をまとめて確認させることができる。
【００６４】
またこのようにＣＰＵ１２０は、選択された新着アイコンＮｉに対応するアプリの下階層行Ｌｄを表示させることにより、当該アプリにおける新着概要情報の詳細をユーザに確認させることができる。
【００６５】
またここで、このように新着概要ウィンドウＮｗが表示された状態で、例えばＲＳＳリーダに対応する新着アイコンＮｉ２に対するタップ操作が行われたとする。するとＣＰＵ１２０は、新着アイコンＮｉ２が選択されたことを認識し、図６に示すように、新着アイコンＮｉ２の色を変化させると共にそれまで表示されていた形状よりもひとまわり大きな形状で表示させる。またＣＰＵ１２０は、それまで選択されていた新着アイコンＮｉ３の選択を解除し、新着アイコンＮｉ３の色及び大きさを元に戻して表示させる。
【００６６】
またこのときＣＰＵ１２０は、選択が解除された新着アイコンＮｉ３に対応するアプリ（ここではメールアプリ）の下階層行Ｌｄ１を閉じる。そしてＣＰＵ１２０は、選択された新着アイコンＮｉ２に対応するアプリ（ここではＲＳＳリーダ）の上階層行Ｌｕ２が領域Ｒ６の一番上になるように、上階層行Ｌｕ（Ｌｕ１〜Ｌｕ３）を下から上にスクロールさせる。
【００６７】
そしてＣＰＵ１２０は、ＲＳＳリーダの上階層行Ｌｕ２のすぐ下側に、ＲＳＳリーダの下階層行Ｌｄ２を表示させる。この下階層行Ｌｄ２には、ＲＳＳリーダにおいて設定されているＷｅｂサイトごとの更新情報の件数及び未読情報の件数などを示すＷｅｂサイト行Ｌｗ（Ｌｗ１〜Ｌｗ４）が表示される。
【００６８】
このように携帯端末１００は、ＲＳＳリーダに対応する新着アイコンＮｉ２が選択されると、新着概要ウィンドウＮｗにＲＳＳリーダの下階層行Ｌｄ２を表示させる。これにより携帯端末１００は、ＲＳＳリーダにおける新着概要情報の詳細をユーザに確認させることができる。
【００６９】
またここで、このように新着概要ウィンドウＮｗが表示された状態で、さらにビデオ購入アプリに対応する新着アイコンＮｉ１に対するタップ操作が行われたとする。するとＣＰＵ１２０は、新着アイコンＮｉ１が選択されたことを認識し、それまで選択されていた新着アイコンＮｉ２の選択を解除する。
【００７０】
そしてＣＰＵ１２０は、図７に示すように、選択が解除された新着アイコンＮｉ２に対応するＲＳＳリーダの下階層行Ｌｄ２を閉じる。そしてＣＰＵ１２０は、選択された新着アイコンＮｉ１に対応するビデオ購入アプリの上階層行Ｌｕ３が領域Ｒ６の一番上になるように、上階層行Ｌｕを下から上にスクロールさせる。
【００７１】
そしてＣＰＵ１２０は、ビデオ購入アプリの上階層行Ｌｕ３のすぐ下側に、ビデオ購入アプリの下階層行Ｌｄ３を表示させる。この下階層行Ｌｄ３には、ビデオ購入アプリにおける新着概要情報として、ビデオ購入アプリにおける各新着ビデオのジャケット写真画像Ｖｐ（Ｖｐ１〜Ｖｐｎ）がマトリクス状に並べられて表示される。
【００７２】
このように携帯端末１００は、ビデオ購入アプリに対応する新着アイコンＮｉ１が選択されると、新着概要ウィンドウＮｗにビデオ購入アプリの下階層行Ｌｄ３を表示させる。これにより携帯端末１００は、ビデオ購入アプリにおける新着概要情報の詳細をユーザに確認させることができる。
【００７３】
尚ジャケット写真画像Ｖｐは、下階層行Ｌｄ３に表示可能な分だけ表示されるようになされている。ＣＰＵ１２０は、第１タッチパネル１０４Ｂを介して、この下階層行Ｌｄ３上で上下方向のドラッグ操作が行われると、当該ドラッグ操作に応じてジャケット写真画像Ｖｐをスクロールさせる。因みにドラッグ操作とは、指をタッチパネルにタッチさせたまま移動させる操作のことである。
【００７４】
また、第１タッチパネル１０４Ｂを介して、任意のジャケット写真画像Ｖｐに対するダブルタップ操作（タップ操作が連続して２回行われる操作）が行われたとする。するとＣＰＵ１２０は、ジャケット写真画像Ｖｐが選択されたことを認識し、ビデオ購入アプリを起動させる。
【００７５】
このときＣＰＵ１２０は、ビデオ購入アプリのトップ画面ではなく、図８に示すように、選択されたジャケット写真画像Ｖｐが示すビデオの販売ページ画面Ｓｇを第１液晶パネル１０４Ａに表示させる。これと共にＣＰＵ１２０は、新着ビデオのタイトル名や販売価格などを一覧で示す一覧画面Ｖｇを第２液晶パネル１０５Ａに表示させる。
【００７６】
つまりＣＰＵ１２０は、下階層行Ｌｄ３のジャケット写真画像Ｖｐが選択されると、ビデオ購入アプリを起動させるが、このときビデオ購入アプリのトップ画面ではなく、新着ビデオに関する種々の情報を示す画面を初期表示させる。
【００７７】
なお、これと同様に、メールアプリの下階層行Ｌｄ１における任意のフォルダ行Ｌｆ（図５）に対するダブルタップ操作が行われると、ＣＰＵ１２０は、当該フォルダ行Ｌｆが選択されたことを認識し、メールアプリを起動させる。このときＣＰＵ１２０は、メールアプリのトップ画面ではなく、選択されたフォルダ行Ｌｆに対応するフォルダ内に格納された新着メールを一覧で示す画面を初期表示させる。
【００７８】
また同様に、ＲＳＳリーダの下階層行Ｌｄ２における任意のＷｅｂサイト行Ｌｗ（図６）に対するダブルタップ操作が行われると、ＣＰＵ１２０は、当該Ｗｅｂサイト行Ｌｗが選択されたことを認識し、ＲＳＳリーダを起動させる。このときＣＰＵ１２０は、ＲＳＳリーダのトップ画面ではなく、選択されたＷｅｂサイト行Ｌｗに対応するＷｅｂサイトにおける新着情報を一覧で示す画面を初期表示させる。
【００７９】
このようにＣＰＵ１２０は、新着概要ウィンドウＮｗの下階層行Ｌｄが選択されると、上述した通常設定でのアプリの起動とは異なり、新着情報に関する情報を示す画面を初期表示させる設定でアプリを起動させるようになされている。
【００８０】
因みにＣＰＵ１２０は、ダブルタップ操作により新着概要ウィンドウＮｗの上階層行Ｌｕが選択されると、当該上階層行Ｌｄに対応するアプリの下階層行Ｌｄが表示されていない場合、当該下階層行Ｌｄを表示させるようになされている。
【００８１】
またＣＰＵ１２０は、新着概要ウィンドウＮｗ上で上下方向のドラッグ操作が行われると、当該ドラッグ操作に応じて新着概要ウィンドウＮｗの上階層行Ｌｕ及び下階層行Ｌｄをスクロールさせるようになされている。
【００８２】
またＣＰＵ１２０は、新着概要ウィンドウＮｗが表示されているときには上述した概要アイコンＧｉ（図５）の色を変化させて表示させるようになされている。そしてＣＰＵ１２０は、第２タッチパネル１０５を介して、色が変化した状態の概要アイコンＧｉに対するタップ操作が行われると、当該新着概要ウィンドウＮｗを閉じるようになされている。
【００８３】
ところでＣＰＵ１２０は、上述した各アプリにおける新着概要情報を管理する為の新着概要情報データベースを記憶部１２８に記憶させて保持するようになされている。この新着概要情報データベースには、アプリごとに新着概要情報が登録されるようになされている。
【００８４】
ＣＰＵ１２０は、新着概要情報データベースから新着情報の総件数を読み出して新着アイコンＮｉとして表示させたり、新着概要情報データベースから新着概要情報を読み出して新着概要ウィンドウＮｗとして表示させたりするようになされている。
【００８５】
またＣＰＵ１２０は、新着概要ウィンドウＮｗの確認済ボタンＢｎ（図５）に対するタップ操作が行われると、現在選択されている新着アイコンＮｉに対応するアプリ（図５ではメールアプリ）における新着概要情報をユーザが確認したと認識する。
【００８６】
そしてＣＰＵ１２０は、当該アプリにおける新着概要情報をユーザにより確認済として設定して、当該アプリにおける新着概要情報を新着概要情報データベースから削除する。これと共にＣＰＵ１２０は、当該アプリに対応する新着アイコンＮｉを非表示にするようになされている。
【００８７】
なおＣＰＵ１２０は、起動中のアプリにおいてユーザに新着情報が確認された場合は、当該新着情報をユーザにより確認済として設定して、新着概要情報データベースに登録されている新着情報の総件数などを更新するようになされている。
【００８８】
因みに、この携帯端末１００のＣＰＵ１２０が、概要として説明した情報処理装置１の制御部２の機能を担うハードウェアである。また携帯端末１００の第１液晶パネル１０４Ａが、情報処理装置１の第２の表示部５の機能を担うハードウェアである。さらに携帯端末１００の第２液晶パネル１０５Ａが、情報処理装置１の第１の表示部３の機能を担うハードウェアである。さらに携帯端末１００の第２タッチパネル１０５Ｂが、情報処理装置１の入力部４の機能を担うハードウェアである。
【００８９】
また、アプリアイコンＡｉが、概要として説明した第１のアイコンに相当するアイコンであり、新着アイコンＮｉが、概要として説明した第２のアイコンに相当するアイコンである。
【００９０】
［１−５．動作処理手順］
上述したように携帯端末１００は、所定のアプリを起動させるためのアプリアイコンＡｉを表示させると共に、当該アプリにおける新着情報の総件数を示す新着アイコンＮｉを表示させるようになされている。そして携帯端末１００は、新着アイコンＮｉが選択されると、当該アプリにおける新着概要情報を示す新着概要ウィンドウＮｗを表示させるようになされている。
【００９１】
以下、このような新着アイコンＮｉに関する一連の処理における動作処理手順について詳しく説明する。
【００９２】
［１−５−１．新着概要情報登録処理手順］
まず、携帯端末１００が各アプリにおける新着概要情報を新着概要情報データベースに登録する際の動作処理手順（これを新着概要情報登録処理手順とも呼ぶ）について説明する。
【００９３】
この新着概要情報登録処理手順は、ＣＰＵ１２０が、ＲＯＭ１２１又は記憶部１２８に書き込まれているプログラムに従って実行する処理手順である。
【００９４】
また新着概要情報登録処理手順ＲＴ１は、新着アイコンＮｉを表示させるよう設定されている全てのアプリにおいてアプリごとに実行される。以下、例えばメールアプリにおける新着概要情報登録処理手順ＲＴ１について図９を用いて説明する。
【００９５】
ＣＰＵ１２０は、例えば携帯端末１００の電源がオンされると、新着概要情報登録処理手順ＲＴ１を開始して、ステップＳＰ１に移る。
【００９６】
ステップＳＰ１においてＣＰＵ１２０は、バックグラウンドにおいてメールアプリを実行する処理を行って、次のステップＳＰ２に移る。なおこのバックグラウンドにおいてメールアプリを実行する処理は、上述した通常設定でメールアプリを起動する処理とは異なり、メールアプリのトップ画面などＧＵＩ画面を表示させないようになされている。
【００９７】
ステップＳＰ２において、ＣＰＵ１２０は、メールアプリにおける新着情報（つまり新着メール）を取得する処理を実行する。
【００９８】
具体的にＣＰＵ１２０は、ネットワーク上のメールサーバ（図示せず）に対して、携帯端末１００宛の新着メールを取得するための取得要求を、無線通信部１３１を介して送信する。この結果ＣＰＵ１２０は、無線通信部１３１を介して携帯端末１００宛の新着メールを受信する。
【００９９】
ステップＳＰ３においてＣＰＵ１２０は、メールアプリにおける新着概要情報をユーザに通知するか否かを判別する。例えばＣＰＵ１２０は、このとき無線通信部１３１を介して新着メールが受信できなかった場合は、メールアプリにおける新着概要情報をユーザに通知しないと判別する。
【０１００】
このステップＳＰ３において肯定結果が得られると、このときＣＰＵ１２０は、次のステップＳＰ４に移る。
【０１０１】
ステップＳＰ４においてＣＰＵ１２０は、新着メールの総件数を取得する。具体的にＣＰＵ１２０は、現在、新着概要情報データベースにメールアプリにおける新着概要情報が登録されている場合（つまり確認済ボタンＢｎなどにより削除されていない場合）、登録されている新着メールの総件数を読み出す。そしてＣＰＵ１２０は、登録されている新着メールの総件数とこのとき受信した新着メールの件数とを足した件数を新着メールの総件数として取得する。
【０１０２】
なおＣＰＵ１２０は、新着概要情報データベースにメールアプリにおける新着概要情報が登録されていない場合は、このとき受信した新着メールの件数を新着メールの総件数として取得する。
【０１０３】
またＣＰＵ１２０は、メールアプリにおける未読メールの総件数、メールアプリにおいて設定されているフォルダごとの新着メールの件数及び未読メールの件数を取得する。またこのときＣＰＵ１２０は、タイマなどの計時部（図示せず）から現在の日時（つまり新着メールの取得日時）を取得する。
【０１０４】
そしてＣＰＵ１２０は、取得した新着メールの総件数、未読メールの総件数、フォルダごとの新着メールの件数及び未読メールの件数、新着メールの取得日時などをメールアプリにおける新着概要情報として設定する。そしてＣＰＵ１２０は、当該新着概要情報を記憶部１２８に保持された新着概要情報データベースに登録し、次のステップＳＰ５に移る。
【０１０５】
一方ステップＳＰ３においてメールアプリにおける新着概要情報をユーザに通知しないことより否定結果が得られると、このときＣＰＵ１２０は、当該新着概要情報を新着概要情報データベースに登録せず、次のステップＳＰ５に移る。
【０１０６】
ステップＳＰ５においてＣＰＵ１２０は、バックグラウンドにおけるメールアプリの実行を終了するか否かを判別する。例えばＣＰＵ１２０は、ユーザにより第１タッチパネル１０４Ｂ又は第２タッチパネル１０５Ｂを介して省電力モードで動作するよう指示された場合などに、バックグラウンドにおけるメールアプリの実行を終了すると判別するようになされている。
【０１０７】
このステップＳＰ５において否定結果が得られると、このときＣＰＵ１２０は、ステップＳＰ２に戻り、再度、新着メールを取得する処理を実行する。なお、メールアプリにおいて所定時間（例えば１時間など）間隔で新着メールを取得する処理を実行するように設定されている場合、ＣＰＵ１２０は、当該間隔に合わせてステップＳＰ２の処理を実行するようにしてもよい。
【０１０８】
一方ステップＳＰ５において肯定結果が得られると、このときＣＰＵ１２０は、次のステップＳＰ６に移る。ステップＳＰ６においてＣＰＵ１２０は、メールアプリを終了する処理を実行して、この新着概要情報登録処理手順ＲＴ１を終了する。
【０１０９】
次にビデオ購入アプリにおける新着概要情報登録処理手順について説明する。これは、上述した新着概要情報登録処理手順ＲＴ１とほぼ同様の処理手順であるため、具体的な処理手順の説明は省略する。
【０１１０】
ＣＰＵ１２０は、当該新着概要情報登録処理手順を開始すると、上述したステップＳＰ１〜ＳＰ２において、バックグラウンドにおいてビデオ購入アプリを実行し、ビデオ購入アプリにおける新着情報（新着ビデオの情報）を取得する処理を実行する。
【０１１１】
具体的にＣＰＵ１２０は、ビデオ購入アプリに対応する種々のデータを提供するビデオ購入アプリサーバ（図示せず）に対して、新着ビデオの情報を取得するための取得要求を、無線通信部１３１を介して送信する。この結果ＣＰＵ１２０は、無線通信部１３１を介して当該新着ビデオの情報を受信する。この新着ビデオの情報には、新着ビデオのタイトル名やジャケット写真画像Ｖｐなどが含まれる。
【０１１２】
そしてＣＰＵ１２０は、上述したステップＳＰ４において、ビデオ購入アプリにおける新着概要情報として、新着ビデオの総件数や、新着ビデオのジャケット写真画像Ｖｐのファイル名などを新着概要情報データベースに登録する。
【０１１３】
また次にＲＳＳリーダにおける新着概要情報登録処理手順について説明する。これも上述した新着概要情報登録処理手順ＲＴ１とほぼ同様の処理手順であるため、具体的な処理手順の説明は省略する。
【０１１４】
ＣＰＵ１２０は、当該新着概要情報登録処理手順を開始すると、上述したステップＳＰ１〜ＳＰ２において、バックグラウンドにおいてＲＳＳリーダを実行し、ＲＳＳリーダにおける新着情報（Ｗｅｂサイトの更新情報）を取得する処理を実行する。
【０１１５】
具体的にＣＰＵ１２０は、予め設定された各Ｗｅｂサイトにおける更新情報をＲＳＳ形式で配信するＲＳＳ配信サーバ（図示せず）に対して、当該更新情報を取得するための取得要求を、無線通信部１３１を介して送信する。この結果ＣＰＵ１２０は、無線通信部１３１を介して当該更新情報を受信する。
【０１１６】
そしてＣＰＵ１２０は、上述したステップＳＰ４において、ＲＳＳリーダにおける新着概要情報として、更新情報の総件数、未読情報の総件数、Ｗｅｂサイトごとの更新情報の件数及び未読情報の件数などを新着概要情報データベースに登録する。
【０１１７】
このような新着概要情報登録処理手順により、携帯端末１００は、各アプリにおける新着概要情報を取得して、これを新着概要情報データベースに登録するようになされている。
【０１１８】
なおＣＰＵ１２０は、上述したステップＳＰ２において各アプリにおける新着情報を取得する処理については、各アプリにおいて設定されている新着情報の取得頻度に応じて実行させるようにしてもよい。例えばＲＳＳリーダにおいて所定時間（例えば１時間など）間隔で更新情報を取得する処理を実行するように設定されている場合、ＣＰＵ１２０は、当該間隔に合わせてステップＳＰ２の処理を実行するようにしてもよい。
【０１１９】
またＣＰＵ１２０は、上述したステップＳＰ３において新着概要情報をユーザに通知するか否かを判別する処理については、各アプリ固有の判断基準で判別するようにしてもよい。
【０１２０】
またＣＰＵ１２０は、上述したステップＳＰ５においてアプリの実行を終了するか否かを判別する処理については、各アプリにおける新着情報の更新頻度に応じて変化させるようにしてもよい。例えば新着情報の更新頻度が所定期間以上であるアプリについては、常にステップＳＰ５においてアプリの実行を終了すると判別するようにしてもよい。
【０１２１】
［１−５−２．新着アイコン表示処理手順］
次に、携帯端末１００が新着アイコンＮｉを表示させる際の動作処理手順（これを新着アイコン表示処理手順とも呼ぶ）について説明する。
【０１２２】
この新着アイコン表示処理手順は、ＣＰＵ１２０が、ＲＯＭ１２１又は記憶部１２８に書き込まれているプログラムに従って実行する処理手順である。
【０１２３】
またこの新着アイコン表示処理手順は、各アプリに対応する新着アイコンＮｉごとに実行される。以下、例えばメールアプリに対応する新着アイコンＮｉ３（図４）についての新着アイコン表示処理手順ＲＴ２について図１０を用いて説明する。
【０１２４】
ＣＰＵ１２０は、携帯端末１００の電源がオンされることにより、第２ホーム画面Ｈｇ２を表示させるよう指示されると、新着アイコン表示処理手順ＲＴ２を開始して、ステップＳＰ１０に移る。
【０１２５】
ステップＳＰ１０においてＣＰＵ１２０は、メールアプリにおける新着情報（つまり新着メール）の総件数を記憶部１２８に保持されている新着概要情報データベースに問い合わせて、次のステップＳＰ１１に移る。
【０１２６】
ステップＳＰ１１においてＣＰＵ１２０は、メールアプリにおける新着情報の総件数が新着概要情報データベースに登録されているか否かを判別する。
【０１２７】
このステップＳＰ１１において否定結果が得られると、このことはメールアプリにおいて新着概要情報を通知しないことを意味し、このときＣＰＵ１２０は、ステップＳＰ１２に移る。
【０１２８】
ステップＳＰ１２においてＣＰＵ１２０は、新着アイコンＮｉ３を表示させず、所定時間（例えば数秒程度）待機して、ステップＳＰ１０に戻り、再度、メールアプリにおける新着情報の総件数を新着概要情報データベースに問い合わせる。
【０１２９】
一方ステップＳＰ１１において肯定結果が得られると、このことはメールアプリにおいて新着概要情報を通知することを意味し、このときＣＰＵ１２０は、次のステップＳＰ１３に移る。
【０１３０】
ステップＳＰ１３においてＣＰＵ１２０は、メールアプリにおける新着情報の総件数を示す新着アイコンＮｉ３をメールアプリに対応するアプリアイコンＡｉ３の右上に表示させて、次のステップＳＰ１４に移る。
【０１３１】
ステップＳＰ１４においてＣＰＵ１２０は、新着アイコンＮｉ３を表示させたまま所定時間（例えば数秒程度）待機して、次のステップＳＰ１５に移る。
【０１３２】
ステップＳＰ１５においてＣＰＵ１２０は、再度メールアプリにおける新着情報の総件数を新着概要情報データベースに問い合わせて、次のステップＳＰ１６に移る。
【０１３３】
ステップＳＰ１６においてＣＰＵ１２０は、メールアプリにおける新着情報の総件数が新着概要情報データベースに登録されているか否かを判別する。
【０１３４】
このステップＳＰ１６において肯定結果が得られると、このことはメールアプリにおいて新着概要情報を通知することを意味し、このときＣＰＵ１２０は次のステップＳＰ１７に移る。
【０１３５】
ステップＳＰ１７においてＣＰＵ１２０は、新着情報の総件数が更新されたか否かを判別する。つまりＣＰＵ１２０は、現在新着アイコンＮｉ３として表示させている新着情報の総件数と、新着概要情報データベースに登録されている新着情報の総件数が異なっているか否かを判別する。
【０１３６】
このステップＳＰ１７において肯定結果が得られると、ＣＰＵ１２０は、ステップＳＰ１８に移る。ステップＳＰ１８においてＣＰＵ１２０は、新着概要情報データベースに登録されている新着情報の総件数を示すように、現在表示させている新着アイコンＮｉ３を更新して、ステップＳＰ１４に戻る。
【０１３７】
一方ステップＳＰ１７において新着情報の総件数が更新されていないことより否定結果が得られると、このときＣＰＵ１２０は、現在表示させている新着アイコンＮｉ３をそのまま表示させたまま、ステップＳＰ１４に戻る。
【０１３８】
またステップＳＰ１６において否定結果が得られると、このことはメールアプリにおいて新着概要情報を通知しないことを意味し、このときＣＰＵ１２０はステップＳＰ１９に移る。
【０１３９】
ステップＳＰ１９においてＣＰＵ１２０は、新着アイコンＮｉ３を非表示にし、次のステップＳＰ２０に移る。
【０１４０】
ステップＳＰ２０においてＣＰＵ１２０は、所定時間（例えば数秒程度）待機し、ステップＳＰ１０に戻る。
【０１４１】
このような新着アイコン表示処理手順ＲＴ２により、携帯端末１００は、メールアプリにおける新着情報の総件数を示す新着アイコンＮｉ３を表示させるようになされている。
【０１４２】
尚、ビデオ購入アプリに対応する新着アイコンＮｉ１や、ＲＳＳリーダに対応する新着アイコンＮｉ２についての新着アイコン表示処理手順は、上述した新着アイコン表示処理手順ＲＴ２とほぼ同様の処理手順であるため説明を省略する。
【０１４３】
また上述したステップＳＰ１２、ＳＰ１４、ＳＰ１８、ＳＰ２０において待機する所定時間は、例えば数分程度でもよく、また例えば各アプリにおける新着情報の更新頻度に応じて変化させるようにしてもよい。
【０１４４】
［１−５−３．アイコン選択処理手順］
次に、アプリアイコンＡｉ又は新着アイコンＮｉが選択された際の携帯端末１００の動作処理手順（これをアイコン選択処理手順とも呼ぶ）ＲＴ３について図１１を用いて説明する。
【０１４５】
このアイコン選択処理手順ＲＴ３は、ＣＰＵ１２０が、ＲＯＭ１２１又は記憶部１２８に書き込まれているプログラムに従って実行する処理手順である。
【０１４６】
ＣＰＵ１２０は、例えば第２ホーム画面Ｈｇ２を表示させると、アイコン選択処理手順ＲＴ３を開始して、ステップＳＰ２１に移る。
【０１４７】
ステップＳＰ２１においてＣＰＵ１２０は、第２タッチパネル１０５Ｂを介してアプリアイコンＡｉが選択されたか否かを判別する。
【０１４８】
このステップＳＰ２１において肯定結果が得られると、このときＣＰＵ１２０は、次のステップＳＰ２２に移る。ステップＳＰ２２においてＣＰＵ１２０は、選択されたアプリアイコンＡｉに対応するアプリを通常設定で起動させ（つまりアプリのトップ画面を初期表示させ）、このアイコン選択処理手順ＲＴ３を終了する。
【０１４９】
一方ステップＳＰ２１において否定結果が得られると、ＣＰＵ１２０は、次のステップＳＰ２３に移る。ステップＳＰ２３においてＣＰＵ１２０は、新着アイコンＮｉが第２ホーム画面Ｈｇに表示されているか否かを判別する。
【０１５０】
このステップＳＰ２３において否定結果が得られると、このときＣＰＵ１２０は、ステップＳＰ２１に戻り、再度アプリアイコンＡｉが選択されたか否かを判別する。
【０１５１】
一方ステップＳＰ２３において肯定結果が得られると、このときＣＰＵ１２０は、ステップＳＰ２４に移る。
【０１５２】
ステップＳＰ２４においてＣＰＵ１２０は、第２タッチパネル１０５Ｂを介して新着アイコンＮｉが選択されたか否かを判別する。
【０１５３】
このステップＳＰ２４において否定結果が得られると、このことはアプリアイコンＡｉ及び新着アイコンＮｉのいずれも選択されていないことを意味し、このときＣＰＵ１２０は、ステップＳＰ２１に戻る。そしてＣＰＵ１２０は、アプリアイコンＡｉ及び新着アイコンＮｉのいずれかが選択されるまで、ステップＳＰ２１、ＳＰ２３、ＳＰ２４を繰り返す。
【０１５４】
一方ステップＳＰ２４において肯定結果が得られると、ＣＰＵ１２０は、次のステップＳＰ２５に移る。ステップＳＰ２５においてＣＰＵ１２０は、既に新着概要ウィンドウＮｗが第１液晶パネル１０４Ａに表示されているか否かを判別する。つまりＣＰＵ１２０は、新着概要表示プログラムが起動中であるか否かを判別する。
【０１５５】
このステップＳＰ２５において否定結果が得られると、このときＣＰＵ１２０は、次のステップＳＰ２６に移る。
【０１５６】
ステップＳＰ２６においてＣＰＵ１２０は、新着概要表示プログラムを起動させ、新着概要情報データベースに登録されている新着概要情報に基づいて新着概要ウィンドウＮｗを生成する。そしてＣＰＵ１２０は、新着概要ウィンドウＮｗを第１液晶パネル１０４Ａに表示させ、次のステップＳＰ２７に移る。
【０１５７】
一方ステップＳＰ２５において肯定結果が得られると、ＣＰＵ１２０は、新着概要ウィンドウＮｗを表示させたまま、次のステップＳＰ２７に移る。
【０１５８】
ステップＳＰ２７においてＣＰＵ１２０は、新着概要ウィンドウＮｗにおいて、選択された新着アイコンＮｉに対応するアプリの上階層行Ｌｕを一番上に移動させて表示させる。これと共にＣＰＵ１２０は、選択された新着アイコンＮｉに対応するアプリの下階層行Ｌｄを表示させると共に、当該アプリ以外のアプリの下階層行Ｌｄを非表示にして、ステップＳＰ２１に戻る。
【０１５９】
このようなアイコン選択処理手順ＲＴ３により、携帯端末１００は、第２タッチパネル１０５Ｂを介してアプリアイコンＡｉ又は新着アイコンＮｉが選択された際に、それぞれに対応する処理を実行するようになされている。
【０１６０】
［１−６．動作及び効果］
以上の構成において携帯端末１００のＣＰＵ１２０は、所定のアプリにおける新着情報を取得すると、当該新着情報の概要を示す情報（つまり新着概要情報）を新着概要情報データベースに登録するようにした。
【０１６１】
そしてＣＰＵ１２０は、ホーム画面を表示させるよう指示されると、所定のアプリを起動させるためのアプリアイコンＡｉを第２液晶パネル１０５Ａに表示させるようにした。
【０１６２】
またＣＰＵ１２０は、当該アプリにおいて新着情報が取得されている場合、新着概要情報データベースから当該新着情報の総件数を読み出し、当該総件数を示す新着アイコンＮｉをアプリアイコンＡｉと一部重なるようにして第２液晶パネル１０５Ａに表示させるようにした。
【０１６３】
これにより携帯端末１００は、当該アプリにおける状態変化として、当該アプリにおいて新着情報が取得されたことをユーザに通知することができる。
【０１６４】
またこのように携帯端末１００は、アプリにおける新着概要情報を新着概要情報データベースに登録しておくことにより、アプリのバックグラウンドでの実行中でなくても新着アイコンＮｉを表示でき、新着情報が取得されたことをユーザに通知できる。
【０１６５】
そしてＣＰＵ１２０は、ユーザに第２タッチパネル１０５Ｂを介して当該新着アイコンＮｉが選択されると、当該アプリに対応する新着概要情報を表示させるための新着概要表示プログラムを起動させるようにした。そしてＣＰＵ１２０は、新着概要情報データベースから当該アプリにおける新着概要情報を読み出して、これを示す新着概要ウィンドウＮｗを第１液晶パネル１０４Ａに表示させるようにした。
【０１６６】
これにより携帯端末１００は、ユーザに第２タッチパネル１０５Ｂを介して当該新着アイコンＮｉを選択させるという容易な操作を行わせるだけで、当該アプリにおける新着情報の概要をユーザに確認させることができる。
【０１６７】
またＣＰＵ１２０は、第２タッチパネル１０５Ｂを介して当該アプリにおける新着概要情報を示す下階層行Ｌｄが選択されると、当該アプリを起動させ、当該アプリにおける新着情報に関する種々の情報を示す画面を初期表示させるようにした。
【０１６８】
これにより携帯端末１００は、ユーザに、第２タッチパネル１０５Ｂを介して当該下階層行Ｌｄを選択させるという容易な操作を行わせるだけで、当該アプリを起動させると共に当該アプリにおける新着情報に関する詳細を確認させることができる。
【０１６９】
またＣＰＵ１２０は、複数のアプリにおけるアプリアイコンＡｉ及び新着アイコンＮｉを第２液晶パネル１０５Ａに表示させるようにした。そしてＣＰＵ１２０は、第２タッチパネル１０５Ｂを介して新着アイコンＮｉを選択されると、複数のアプリにおける新着概要情報を表示させるための新着概要表示プログラムを起動させ、新着概要ウィンドウＮｗを第１液晶パネル１０４Ａに表示させるようにした。
【０１７０】
これにより携帯端末１００は、複数のアプリを起動させなくても、新着概要表示プログラムを起動させるだけで、複数のアプリにおける新着概要情報を表示させることができる。ゆえに携帯端末１００は、複数のアプリを起動させるためにユーザを待たせることなく、複数のアプリにおける新着概要情報をユーザに確認させることができる。
【０１７１】
またこのようにＣＰＵ１２０は、アプリアイコンＡｉ及び新着アイコンＮｉと、新着概要ウィンドウＮｗを異なる画面に表示させるようにしたことにより、新着概要ウィンドウＮｗでアプリアイコンＡｉ及び新着アイコンＮｉを隠さないようにできる。
【０１７２】
これにより携帯端末１００は、現在どの新着アイコンＮｉが選択されているかをユーザに通知することができる。またこれにより携帯端末１００は、ユーザに、新着概要ウィンドウＮｗを閉じる操作を行わせなくてもアプリアイコンＡｉを選択させることもできる。
【０１７３】
以上の構成によれば携帯端末１００は、所定のアプリを起動させるためのアプリアイコンＡｉを第２液晶パネル１０５Ａに表示させる。また携帯端末１００は、当該アプリにおいて新着情報が取得されたことを検出したときに、当該新着情報の総件数を示すと共に当該アプリにおける新着概要情報を表示させるための新着アイコンＮｉを第２液晶パネル１０５Ａに表示させるようにした。
【０１７４】
これにより携帯端末１００は、ユーザに、当該アプリにおいて新着情報が取得されたことを通知できる共に、第２タッチパネル１０５Ａを介して新着アイコンＮｉを選択するという容易な操作を行わせるだけで、当該新着概要情報を確認させることができる。かくして携帯端末１００は、当該新着概要情報をユーザに確認させる際の操作性を向上することができる。
【０１７５】
＜２．第２の実施の形態＞
［２−１．第２の実施の形態の概要］
次に第２の実施の形態について説明する。因みにこの概要を説明した後、本実施の形態の具体例の説明に移る。
【０１７６】
図１２において、１０は、第２の実施の形態における情報処理装置を示す。この情報処理装置１０は、制御部１１を有している。制御部１１は、所定のアプリケーションを起動させるための第１のアイコンを表示部１２に表示させるようになされている。
【０１７７】
また制御部１１は、当該アプリケーションにおける状態変化を検出したときに、当該状態変化を示すと共に当該状態変化に関連する情報を表示させるための第２のアイコンを表示部１２に表示させるようになされている。
【０１７８】
さらに制御部１１は、入力部１３を介して第２のアイコンが選択されると、第１のアイコン及び第２のアイコンを表示させたまま、当該状態変化に関連する情報を表示させるようになされている。
【０１７９】
このような構成でなる情報処理装置１０の具体例について、以下、詳しく説明する。
【０１８０】
［２−２．携帯端末の外観構成］
次に、図１３を用いて、上述した情報処理装置１０の具体例である携帯端末２００の外観構成について説明する。
【０１８１】
携帯端末２００は、片手で把持しうる程度の大きさでなる略扁平矩形状の筐体２０１を有する。
【０１８２】
この筐体２０１の前面２０１Ａの中央部には、長方形状のタッチスクリーン２０２が設けられている。タッチスクリーン２０２は、ユーザの指（ペンなどでも可）によるタッチ操作が可能な表示デバイスである。携帯端末２００では、例えばタッチスクリーン２０２の長手方向を上下方向、短手方向を左右方向としてユーザに使用されるようになされている。
【０１８３】
［２−３．携帯端末のハードウェア構成］
また図３と対応する部分に同一の符号を付した図１４を用いて携帯端末２００のハードウェア構成について説明する。尚、第１の実施の形態における携帯端末１００と同様の部分については、説明を省略する。
【０１８４】
携帯端末２００の外部バス１２５は、インターフェース１２６を介して、液晶パネル２０２Ａ、タッチパネル２０２Ｂ、ＧＰＳ（Global  Positioning  System）モジュール２０３などと接続されている。
【０１８５】
ＣＰＵ１２０は、インターフェース１２６、外部バス１２５、ホストバス１２３を順次介して送られてきたタッチパネル２０２Ｂからの入力信号に応じて各部を制御するようになされている。
【０１８６】
タッチパネル２０２Ｂは、液晶パネル２０２Ａと共に上述したタッチスクリーン２０２を構成するデバイスである。タッチパネル２０２Ｂは、検知したタッチ位置の座標を示す入力信号をＣＰＵ１２０に送る。ＣＰＵ１２０は、当該入力信号から、液晶パネル２０２Ａの画面上のどの位置に対して、どのようなタッチ操作が行われたのかを判別するようになされている。
【０１８７】
またＧＰＳモジュール２０３は、ＣＰＵ１２０の制御のもと、複数のＧＰＳ衛星から信号を受信し、この信号に基づいて携帯端末２００の現在位置（緯度、経度など）を測位する。そしてＧＰＳモジュール２０３は、この現在位置を示す現在位置情報をＣＰＵ１２０に送るようになされている。
【０１８８】
［２−４．ホーム画面］
次に、携帯端末２００の画面の１つであるホーム画面について説明する。ホーム画面は、ＣＰＵ１２０の表示制御により表示されるＧＵＩ画面である。
【０１８９】
ＣＰＵ１２０は、電源ボタン（図示せず）が押下されて携帯端末２００の電源がオンされると、図１５に示すように、ホーム画面Ｈｇを液晶パネル２０２Ａに表示させる。
【０１９０】
ホーム画面Ｈｇには、上述した第１の実施の形態と同様に、所定のアプリを起動させるための複数のアプリアイコンＡｉが所定間隔ごとにマトリクス状に配置されて表示される。
【０１９１】
図１５に示すホーム画面Ｈｇでは、一例として、上述したアプリアイコンＡｉ１〜Ａｉ３のほかに、例えば地図アプリを起動させるためのアプリアイコンＡｉ４が表示されている。
【０１９２】
ＣＰＵ１２０は、ユーザによりタッチパネル２０２Ｂを介してアプリアイコンＡｉに対するタップ操作が行われると、当該アプリアイコンＡｉが選択されたことを認識する。
【０１９３】
そしてＣＰＵ１２０は、上述した第１の実施の形態と同様に、当該アプリアイコンＡｉに対応するアプリを起動させ、当該アプリのトップ画面を初期表示させる。つまりＣＰＵ１２０は、アプリアイコンＡｉが選択されると、アプリを通常設定で起動させる。
【０１９４】
またホーム画面Ｈｇでは、地図アプリにおいて、携帯端末２００の現在位置周辺にあるカフェの情報を取得した場合、カフェの情報があることを示すカフェアイコンＣｉが表示される。カフェアイコンＣｉは、例えば上述した新着アイコンＮｉと同様の吹き出し形状であり、アプリアイコンＡｉ４の右上に当該カフェアイコンＣｉの一部を重ねるようにして表示される。
【０１９５】
このカフェアイコンＣｉの表示について詳しく説明する。ＣＰＵ１２０は、例えば携帯端末２００の電源がオンされると、バックグラウンドにおいて地図アプリを実行する。そしてＣＰＵ１２０は、所定時間ごと（例えば数分ごと）にカフェの情報を取得する処理を実行する。ここでは、地図アプリにおいて、携帯端末２００の現在位置から例えば３００［ｍ］範囲内のカフェを周辺カフェとし、当該周辺カフェの情報を取得するよう設定されているとする。
【０１９６】
周辺カフェの情報を取得する処理において、ＣＰＵ１２０は、ＧＰＳモジュール２０３から現在位置情報を取得する。そしてＣＰＵ１２０は、地図アプリに対応する各種データを提供する地図アプリサーバ（図示せず）に対して、周辺カフェの情報を取得するための取得要求と現在位置情報とを、無線通信部１３１を介して送信する。この結果ＣＰＵ１２０は、無線通信部１３１を介して周辺カフェの情報を受信する。
【０１９７】
そしてＣＰＵ１２０は、受信した周辺カフェの情報に基づいて、周辺カフェがあるか否かを判別する。そしてＣＰＵ１２０は、周辺カフェがあると判別した場合は、周辺カフェがあることを示す情報（これをカフェ有り情報とも呼ぶ）として「Ｃａｆｅ」を記憶部１２８に記憶させる。
【０１９８】
尚ＣＰＵ１２０は、周辺カフェがないと判別した場合は、カフェ有り情報を記憶部１２８に記憶させない。尚このときＣＰＵ１２０は、既にカフェ有り情報が記憶部１２８に記憶されていた場合には、当該カフェ有り情報を記憶部１２８から削除するようにする。
【０１９９】
そしてＣＰＵ１２０は、ホーム画面Ｈｇを表示させている間、所定時間ごと（例えば数分ごと）に地図アプリにおけるカフェ有り情報を記憶部１２８に問い合わせる。そしてＣＰＵ１２０は、当該カフェ有り情報が記憶部１２８に記憶されている場合には、当該カフェ有り情報を示すカフェアイコンＣｉをアプリアイコンＡｉ４の右上に表示させるようになされている。
【０２００】
ここで、タッチパネル２０２Ｂを介して、カフェアイコンＣｉに対する長押し操作（カフェアイコンＣｉ上がタッチされ、所定時間以上そのままの位置でタッチされ続ける操作）が行われたとする。
【０２０１】
このときＣＰＵ１２０は、カフェアイコンＣｉが選択されたと認識し、地図アプリを起動させる。そしてＣＰＵ１２０は、図１６に示すように、アプリアイコンＡｉ４及びカフェアイコンＣｉを表示させたまま、これらのアイコンを隠さないように、周辺カフェの情報を示す地図画面Ｍｇを液晶パネル２０２Ａ全体に表示させる。なおこのときＣＰＵ１２０は、アプリアイコンＡｉ４以外のアイコン（例えばアプリアイコンＡｉ１〜Ａｉ３など）を非表示にする。
【０２０２】
具体的にＣＰＵ１２０は、無線通信部１３１を介して地図アプリサーバから現在位置を含む周辺の地図画像のデータを取得し、当該データに基づく地図画像Ｍｐを地図画面Ｍｇ全体に表示させる。
【０２０３】
またＣＰＵ１２０は、地図アプリサーバから取得した周辺カフェの情報に基づいて、周辺カフェの各々の位置を示す位置アイコンＢｉ（Ｂｉ１〜Ｂｉ５）を地図画像Ｍｐ上に表示させる。
【０２０４】
さらにこのときＣＰＵ１２０は、携帯端末２００の現在位置から最も近いカフェの位置を示す位置アイコンＢｉ３の上側近傍に、当該カフェの名前、住所、電話番号など当該カフェの詳細情報を示す詳細アイコンＳｉ３を表示させる。
【０２０５】
さらにこのときＣＰＵ１２０は、地図アプリにおける操作ボタンとしての機能をカフェアイコンＣｉに割り当てる。そしてＣＰＵ１２０は、カフェアイコンＣｉを縦長形状に変化させ、当該カフェアイコンＣｉ上に、各周辺カフェに対応する点アイコンＰｉ（Ｐｉ１〜Ｐｉ５）を表示させる。この点アイコンＰｉは、例えば上下方向に所定間隔で並べられて表示され、その表示位置が各周辺カフェの地図画像Ｍｐ上の位置に対応している。
【０２０６】
ここでユーザがカフェアイコンＣｉをタッチした位置から指を動かしていない場合、携帯端末２００の現在位置から最も近いカフェに対応する点アイコンＰｉ３が選択された状態となる。
【０２０７】
またここで、図１７に示すように、ユーザが指をタッチさせたまま上方向に移動させ（つまり上方向のドラッグ操作を行い）、点アイコンＰｉ１上をタッチしたとする。このときＣＰＵ１２０は、点アイコンＰｉ１が選択されたと認識し、当該点アイコンＰｉ１に対応する周辺カフェの位置を示す位置アイコンＢｉ１が地図画面Ｍｇの中央付近になるよう地図画像Ｍｐをスクロールする。またこのときＣＰＵ１２０は、これまで表示していた詳細アイコンＳｉ３を非表示にし、選択された点アイコンＰｉ１に対応する周辺カフェの詳細情報を示す詳細アイコンＳｉ１を表示させる。
【０２０８】
このようにＣＰＵ１２０は、カフェアイコンＣｉ上でのドラッグ操作により点アイコンＰｉが選択されると、選択された点アイコンＰｉに対応する周辺カフェの詳細情報を詳細アイコンＳｉとして表示させるようになされている。
【０２０９】
またここで、ユーザによりタッチ位置がカフェアイコンＣｉ以外の位置に移動された、若しくはタッチパネル２０２Ｂからユーザの指が離されたとする。するとＣＰＵ１２０は、カフェアイコンＣｉの選択が解除されたと認識し、地図アプリの起動を終了させ、図１５に示すようホーム画面Ｈｇを元の状態に戻して表示させる。
【０２１０】
尚、この携帯端末２００のＣＰＵ１２０が、概要として説明した情報処理装置１０の制御部１１の機能を担うハードウェアである。また携帯端末２００の液晶パネル２０２Ａが、情報処理装置１０の表示部１２の機能を担うハードウェアである。さらに携帯端末２００のタッチパネル２０２Ｂが、情報処理装置１０の入力部１３の機能を担うハードウェアである。
【０２１１】
また、アプリアイコンＡｉ４が、概要として説明した第１のアイコンに相当するアイコンであり、カフェアイコンＣｉが、概要として説明した第２のアイコンに相当するアイコンである。
【０２１２】
［２−５．動作及び効果］
以上の構成において携帯端末２００のＣＰＵ１２０は、地図アプリにおいて周辺カフェの情報を取得すると、周辺カフェの情報があることを示す情報（カフェ有り情報）を記憶部１２８に記憶させておく。
【０２１３】
ここでＣＰＵ１２０は、ホーム画面Ｈｇを表示させるよう指示されると、地図アプリを起動させるためのアプリアイコンＡｉ４を液晶パネル２０２Ａに表示させる。
【０２１４】
またＣＰＵ１２０は、地図アプリにおいて周辺カフェの情報が取得されているとき、記憶部１２８からカフェ有り情報を読み出し、このカフェ有り情報を示すカフェアイコンＣｉをアプリアイコンＡｉ４と一部重なるようにして液晶パネル２０２Ａに表示させる。
【０２１５】
これにより携帯端末２００は、地図アプリにおける状態変化として、地図アプリにおいて周辺カフェの情報が取得されたことをユーザに通知することができる。
【０２１６】
さらにＣＰＵ１２０は、ユーザにタッチパネル２０２Ｂを介してカフェアイコンＣｉがタッチされると、地図アプリを起動させる。そしてＣＰＵ１２０は、カフェアイコンＣｉ及びアプリアイコンＡｉ４を表示させたまま、地図アプリにおいて取得された周辺カフェの情報を表示させる。
【０２１７】
これにより携帯端末２００は、ユーザにタッチパネル２０２Ｂを介してカフェアイコンＣｉを選択させるという容易な操作を行わせるだけで、地図アプリを起動させると共に地図アプリで取得された周辺カフェの情報をユーザに確認させることができる。
【０２１８】
またこのように携帯端末２００は、アプリアイコンＡｉ４及びカフェアイコンＣｉを表示させたまま地図アプリを起動させることにより、周辺カフェの情報を表示させるために地図アプリを起動中であることをユーザに通知することができる。
【０２１９】
またこのときＣＰＵ１２０は、表示させた周辺カフェの情報に対する操作を行うための操作ボタンとしての機能をカフェアイコンＣｉに割り当てる。そしてＣＰＵ１２０は、カフェアイコンＣｉの形状を変化させ、当該カフェアイコンＣｉ上に各周辺カフェに対応する点アイコンＰｉを表示させる。そしてＣＰＵ１２０は、カフェアイコンＣｉ上でのドラッグ操作により点アイコンＰｉを選択されると、当該点アイコンＰｉに対応する周辺カフェの詳細情報を表示させる。
【０２２０】
これにより携帯端末２００は、ユーザにタッチパネル２０２を介してカフェアイコンＣｉをタッチした後ドラッグ操作を行うという容易な操作を行わせるだけで、ユーザの所望に応じた周辺カフェの詳細情報をユーザに確認させることができる。
【０２２１】
またＣＰＵ１２０は、カフェアイコンＣｉに対する選択が解除されると、地図アプリの起動を終了させて地図アプリの画面を非表示にし、種々のアプリアイコンＡｉが表示されたホーム画面Ｈｇを表示させる。
【０２２２】
これにより携帯端末２００は、ユーザに、カフェアイコンＣｉに対する選択を解除するという容易な操作を行わせるだけで、地図アプリを終了すると共にホーム画面Ｈｇを表示させることができる。
【０２２３】
以上の構成によれば携帯端末２００は、地図アプリを起動させるためのアプリアイコンＡｉ４を液晶パネル２０２Ａに表示させる。また携帯端末２００は、地図アプリにおいて周辺カフェの情報が取得されたことを検出したときに、当該周辺カフェの情報を取得したことを示すと共に周辺カフェの情報を表示させるためのカフェアイコンＣｉを液晶パネル２０２Ａに表示させるようにした。
【０２２４】
これにより携帯端末２００は、ユーザに、地図アプリにおいて周辺カフェの情報が取得されたことを通知できる共に、カフェアイコンＣｉを選択するという容易な操作を行わせるだけで、当該周辺カフェの情報を確認させることができる。かくして携帯端末２００は、当該周辺カフェの情報をユーザに確認させる際の操作性を向上することができる。
【０２２５】
＜３．他の実施の形態＞
［３−１．他の実施の形態１］
なお上述した第１の実施の形態では、ＣＰＵ１２０は、第２タッチパネル１０５Ｂを介して新着アイコンＮｉを選択されると、アプリにおける新着概要情報を表示させるための新着概要表示プログラムを起動させるようにした。
【０２２６】
これに限らずＣＰＵ１２０は、新着アイコンＮｉを選択されると、当該新着アイコンＮｉに対応するアプリを起動させ、新着情報に関する情報を示す画面を初期表示させるようにしてもよい。
【０２２７】
この場合のアイコン選択処理手順ＲＴ４について、図１８を用いて説明する。尚このアイコン選択処理手順ＲＴ４は、ＣＰＵ１２０が、ＲＯＭ１２１又は記憶部１２８に書き込まれているプログラムに従って実行する処理手順である。
【０２２８】
ＣＰＵ１２０は、例えば第２ホーム画面Ｈｇ２を表示させると、アイコン選択処理手順ＲＴ４を開始して、ステップＳＰ３１に移る。
【０２２９】
ステップＳＰ３１においてＣＰＵ１２０は、第２タッチパネル１０５Ｂを介してアプリアイコンＡｉが選択されたか否かを判別する。
【０２３０】
このステップＳＰ３１において肯定結果が得られると、このときＣＰＵ１２０は、次のステップＳＰ３２に移る。ステップＳＰ３２においてＣＰＵ１２０は、選択されたアプリアイコンＡｉに対応するアプリを通常設定で起動させトップ画面を初期表示させ、このアイコン選択処理手順ＲＴ４を終了する。
【０２３１】
一方ステップＳＰ３１において否定結果が得られると、ＣＰＵ１２０は、次のステップＳＰ３３に移る。ステップＳＰ３３においてＣＰＵ１２０は、新着アイコンＮｉが第２ホーム画面Ｈｇに表示されているか否かを判別する。
【０２３２】
このステップＳＰ３３において否定結果が得られると、このときＣＰＵ１２０は、ステップＳＰ３１に戻り、再度アプリアイコンＡｉが選択されたか否かを判別する。
【０２３３】
一方ステップＳＰ３３において肯定結果が得られると、このときＣＰＵ１２０は、ステップＳＰ３４に移る。
【０２３４】
ステップＳＰ３４においてＣＰＵ１２０は、第２タッチパネル１０５Ｂを介して新着アイコンＮｉが選択されたか否かを判別する。
【０２３５】
このステップＳＰ３４において否定結果が得られると、このことはアプリアイコンＡｉ及び新着アイコンＮｉのいずれも選択されていないことを意味し、このときＣＰＵ１２０は、ステップＳＰ３１に戻る。そしてＣＰＵ１２０は、アプリアイコンＡｉ及び新着アイコンＮｉのいずれかが選択されるまで、ステップＳＰ３１、ＳＰ３３、ＳＰ３４を繰り返す。
【０２３６】
一方ステップＳＰ３４において肯定結果が得られると、ＣＰＵ１２０は、次のステップＳＰ３５に移る。ステップＳＰ３５においてＣＰＵ１２０は、選択された新着アイコンＮｉに対応するアプリを、新着情報に関する情報を示す画面を初期表示する設定で起動させ、アイコン選択処理手順ＲＴ４を終了する。
【０２３７】
例えばＣＰＵ１２０は、ビデオ購入アプリに対応する新着アイコンＮｉ１（図４）が選択されると、ビデオ購入アプリを起動させ、新着ビデオのタイトル名や販売価格などを一覧で示す一覧画面を初期表示させる。
【０２３８】
また例えばＣＰＵ１２０は、ＲＳＳリーダに対応する新着アイコンＮｉ２が選択されると、ＲＳＳリーダを起動させ、Ｗｅｂサイトごとに更新情報のタイトル名などを一覧で示す一覧画面を初期表示させる。
【０２３９】
また例えばＣＰＵ１２０は、メールアプリに対応する新着アイコンＮｉ３が選択されると、メールアプリを起動させ、新着メールの件名や送信元などを一覧で示す一覧画面を初期表示させる。
【０２４０】
このように携帯端末１００は、新着アイコンＮｉが選択されると、選択された新着アイコンＮｉに対応するアプリを起動させ、当該アプリにおける新着情報に関する情報を初期表示させる。これにより携帯端末１００は、ユーザに新着アイコンＮｉを選択させるという容易な操作を行わせるだけで、当該新着アイコンＮｉに対応するアプリを起動させると共に当該アプリにおける新着情報に関する情報をユーザに確認させることができる。
【０２４１】
［３−２．他の実施の形態２］
また上述した第１の実施の形態では、ＣＰＵ１２０は、アプリにおいて新着情報が取得された場合、新着情報の総件数を示すと共に新着概要情報を表示させるための新着アイコンＮｉをアプリアイコンＡｉの右上に表示させるようにした。
【０２４２】
これに限らずＣＰＵ１２０は、アプリにおける状態変化であれば、この他種々の状態変化を検出するようにしてもよい。そしてＣＰＵ１２０は、アプリにおける状態変化を示すと共に当該状態変化に関連する情報を表示させるためのアイコンであればこの他種々のアイコンをアプリアイコンＡｉと共に表示させるようにしてもよい。またこのようなアイコンの形状や大きさ、表示位置なども上述したものに限らず、この他種々の形状や大きさ、表示位置などでなるアイコンを表示させるようにしてもよい。
【０２４３】
例えばＣＰＵ１２０は、図１９に示すように、任意の人物「Ｃｉｎｄｙ」のブログの記事を表示させるアプリ（これをブログアプリとも呼ぶ）を起動させるためのアプリアイコンＡｉ５を第２ホーム画面Ｈｇ２に表示させる。
【０２４４】
このときＣＰＵ１２０は、ブログアプリにおいて新着記事を取得したと検出すると、当該新着記事における「Ｃｉｎｄｙ」の気持ち（例えば嬉しい顔を示す顔文字など）を示す気持ちアイコンＨｉをアプリアイコンＡｉ５の右上に表示させてもよい。
【０２４５】
そしてＣＰＵ１２０は、第２タッチパネル１０５を介して気持ちアイコンＨｉを選択されると、ブログアプリを起動させ、当該新着記事を初期表示させるようにしてもよい。
【０２４６】
なおＣＰＵ１２０は、例えば携帯端末１００の電源がオンされた際などに、ブログアプリをバックグラウンドで実行させ、無線通信部１３１を介して、ブログの記事の情報を提供するサーバから、新着記事の情報を取得するようになされているとする。この新着記事の情報には、当該新着記事における「Ｃｉｎｄｙ」の気持ちを示す情報などが含まれるとする。
【０２４７】
また例えばＣＰＵ１２０は、画像を閲覧するためのアプリ（これを画像閲覧アプリとも呼ぶ）を起動させるためのアプリアイコンＡｉ６を第２ホーム画面Ｈｇ２に表示させる。
【０２４８】
このときＣＰＵ１２０は、画像閲覧アプリにおいて例えば当該画像閲覧アプリのバージョンアップ情報を取得したことを検出すると、バージョンアップ情報があることを示す情報アイコンＲｉをアプリアイコンＡｉ６の右上に表示させてもよい。
【０２４９】
そしてＣＰＵ１２０は、第２タッチパネル１０５Ｂを介して情報アイコンＲｉを選択されると、画像閲覧アプリのバージョンアップに関する情報を通知する画面を第１液晶パネル１０４Ａに表示させてもよい。
【０２５０】
このようにＣＰＵ１２０は、アプリにおいてユーザに通知すべき通知情報を取得した場合に、通知情報があることを示すアイコンを表示させ、当該アイコンが選択されると通知情報を表示させるようにしてもよい。
【０２５１】
［３−３．他の実施の形態３］
さらに上述した第１の実施の形態では、ＣＰＵ１２０は、各アプリに対応する新着アイコンＮｉ（Ｎｉ１〜Ｎｉ３）を同様の形状及び大きさで表示させるようにした。
【０２５２】
これに限らずＣＰＵ１２０は、新着情報の件数が比較的多いアプリに対応する新着アイコンＮｉを大きく表示させ、新着情報の件数が比較的少ないアプリに対応する新着アイコンＮｉを小さく表示させるようにしてもよい。
【０２５３】
またこれに限らずＣＰＵ１２０は、アプリにおいてユーザに特におすすめである新着情報を取得した場合に、新着アイコンＮｉを点滅させるように表示させてもよい。
【０２５４】
つまりＣＰＵ１２０は、アプリにおける新着情報の取得状況などアプリにおける状態変化に応じて、新着アイコンＮｉなど当該状態変化を示すアイコンの表示形態を変化させるようにしてもよい。
【０２５５】
これにより携帯端末１００は、ユーザにアプリにおける状態変化を一段とわかりやすく通知することができる。
【０２５６】
［３−４．他の実施の形態４］
さらに上述した第１の実施の形態では、ＣＰＵ１２０は、例えば図４に示すように、アプリアイコンＡｉを所定の表示位置に表示させるようにした。
【０２５７】
これに限らずＣＰＵ１２０は、アプリアイコンＡｉを当該アプリアイコンＡｉに対応する新着アイコンＮｉを表示させているか否かによって、表示位置を変化させるようにしてもよい。
【０２５８】
例えばＣＰＵ１２０は、新着アイコンＮｉを表示させているアプリアイコンＡｉを、第２ホーム画面Ｈｇ２上のアプリアイコンＡｉにおける左端の列又は右端の列に表示させるようにしてもよい。
【０２５９】
例えば図２０では、ビデオ購入アプリ及びＲＳＳリーダにおいて新着情報が取得されたため、それぞれ新着アイコンＮｉ１及びＮｉ２が表示されている。またメールアプリにおいては新着情報が取得されていないため、新着アイコンＮｉ３は表示されていない。
【０２６０】
このときＣＰＵ１２０は、ビデオ購入アプリに対応するアプリアイコンＡｉ１及びＲＳＳリーダに対応するアプリアイコンＡｉ２を第２ホーム画面Ｈｇ２の左端の列に表示させる。一方ＣＰＵ１２０は、メールアプリに対応するアプリアイコンＡｉ３を例えば第２ホーム画面Ｈｇ２の真ん中の列に表示させる。
【０２６１】
携帯端末１００をユーザが使用する際、第２筐体１０２を両手で把持しながら使用することが想定される。そしてユーザが第２筐体１０２を両手で把持しながらユーザの指でタッチ可能な第２タッチスクリーン１０５上の領域は、第２タッチスクリーン１０５の右端の領域又は左端の領域であると想定される。
【０２６２】
ゆえに第２タッチスクリーン１０５の右端の領域又は左端の領域に表示されている新着アイコンＮｉ又はアプリアイコンＡｉは、ユーザにとって選択しやすいと考えられる。
【０２６３】
そこで携帯端末１００は、新着アイコンＮｉ及びこれに対応するアプリアイコンＡｉを第２タッチスクリーン１０５の右端の領域又は左端の領域に表示させることにより、これらのアイコンをユーザに選択しやすくさせることができる。
【０２６４】
つまり携帯端末１００は、第２筐体１０２がユーザの手により把持されたときに当該ユーザの指がタッチ可能な第２タッチスクリーン１０５上の領域内に、新着アイコンＮｉ及びこれに対応するアプリアイコンＡｉを表示させる。これにより携帯端末１００は、新着アイコンＮｉ及びこれに対応するアプリアイコンＡｉをユーザに選択しやすくさせることができ、新着概要情報やこの他新着情報に関する情報をユーザに確認させる際の操作性を向上することができる。
【０２６５】
［３−５．他の実施の形態５］
さらに上述した第１の実施の形態では、ＣＰＵ１２０は、新着アイコンＮｉが選択されて新着概要情報を表示させた後、当該新着概要情報が選択されると、アプリを起動させ、新着情報に関する情報を示す画面を初期表示させるようにした。
【０２６６】
これに限らずＣＰＵ１２０は、例えば選択された新着アイコンＮｉをこれに対応するアプリアイコンＡｉにドラッグさせる操作が行われると、アプリを起動させ、新着情報に関する情報を示す画面を初期表示させるようにしてもよい。
【０２６７】
これにより携帯端末１００は、ユーザに新着アイコンＮｉを選択させて新着概要情報を確認させたあと、当該新着アイコンＮｉをアプリアイコンＡｉまでドラッグさせるという容易な操作を行わせるだけで、アプリを起動させると共に新着情報に関する情報をユーザに確認させることができる。かくして携帯端末１００は、一段と容易な操作でアプリにおける新着情報に関する情報をユーザに確認させることができる。
【０２６８】
［３−６．他の実施の形態６］
さらに上述した第１の実施の形態では、ＣＰＵ１２０は、新着概要ウィンドウＮｗの確認済ボタンＢｎが選択されると、アプリにおける新着概要情報をユーザにより確認済として設定するようにした。
【０２６９】
これに限らずＣＰＵ１２０は、例えば第２ホーム画面Ｈｇ２の領域Ｒ３（図４）にごみ箱アイコンを表示させるようにしてもよい。そしてＣＰＵ１２０は、当該ゴミ箱アイコンに新着アイコンＮｉをドラッグさせる操作が行われると、新着概要情報をユーザにより確認済として設定し、当該新着概要情報に対応する新着アイコンＮｉを非表示にするようにしてもよい。
【０２７０】
つまりＣＰＵ１２０は、第２ホーム画面Ｈｇ２に新着概要情報をユーザにより確認済として設定するための所定の領域を設けるようにしてもよい。そしてＣＰＵ１２０は、当該領域に新着アイコンＮｉをドラッグさせる操作が行われると、新着概要情報をユーザにより確認済として設定し、当該新着概要情報に対応する新着アイコンＮｉを非表示にするようにしてもよい。
【０２７１】
これにより携帯端末１００は、ユーザに新着アイコンＮｉを選択させて新着概要情報を確認させたあと、新着アイコンＮｉを当該所定の領域までドラッグさせるという容易な操作を行わせるだけで、新着概要情報をユーザにより確認済として設定することができる。
【０２７２】
［３−７．他の実施の形態７］
さらに上述した第１の実施の形態では、ＣＰＵ１２０は、新着アイコンＮｉに対するタップ操作が行われると、当該新着アイコンＮｉが選択されたと認識し、当該新着アイコンＮｉに対応するアプリの下階層行Ｌｄを表示させるようにした。
【０２７３】
これに限らずＣＰＵ１２０は、例えば新着アイコンＮｉ上をタッチされ続けている間のみ、当該新着アイコンＮｉに対応するアプリの下階層行Ｌｄを表示させるようにしてもよい。
【０２７４】
またこれに限らずＣＰＵ１２０は、ＣＰＵ１２０は、例えば新着アイコンＮｉ上をタッチされ続けている間のみ新着概要ウィンドウＮｗを表示させるようにしてもよい。
【０２７５】
またこれに限らずＣＰＵ１２０は、この他新着アイコンＮｉに対する種々の操作に応じて、当該新着アイコンＮｉが選択されたと認識し、新着概要ウィンドウＮｗを表示させるようにしてもよい。例えば入力部として第２タッチパネル１０５Ｂの代わりに決定ボタンなどのハードウェアボタンを設けるようにしてもよく、当該決定ボタンに対する押下操作に応じて新着アイコンＮｉが選択されたと認識するようにしてもよい。
【０２７６】
［３−８．他の実施の形態８］
さらに上述した第２の実施の形態では、ＣＰＵ１２０は、カフェアイコンＣｉが選択されると、アプリアイコンＡｉ４及びカフェアイコンＣｉを表示させたまま周辺カフェの情報を示す地図画面Ｍｇを液晶パネル２０２Ａの全体に表示させるようにした
【０２７７】
これに限らずＣＰＵ１２０は、アプリアイコンＡｉ４及びカフェアイコンＣｉの表示させたままであれば、この他種々の位置に当該地図画面Ｍｇを表示させるようにしてもよい。例えばＣＰＵ１２０は、アプリアイコンＡｉ４及びカフェアイコンＣｉが液晶パネル２０２Ａの上側に表示されていた場合は、当該地図画面Ｍｇを液晶パネル２０２Ａの下側に表示させるようにしてもよい。
【０２７８】
［３−９．他の実施の形態９］
さらに上述した第１の実施の形態では、ＣＰＵ１２０は、新着アイコン表示処理手順ＲＴ２において所定時間間隔ごとに新着概要情報データベースに新着情報の総件数を問い合わせ、当該総件数を示す新着アイコンＮｉを表示させるようにした。
【０２７９】
これに限らずＣＰＵ１２０は、例えばアプリにおいて新着情報が取得されると新着アイコンＮｉを表示させるプログラムを実行し、新着情報の総件数を示す新着アイコンＮｉを表示させるようにしてもよい。
【０２８０】
またこれに限らずＣＰＵ１２０は、例えばアプリにおいて新着情報が確認されるとすぐ当該新着情報に対応する新着アイコンＮｉを非表示にするようにしてもよい。
【０２８１】
［３−１０．他の実施の形態１０］
さらに上述した第２の実施の形態では、ＣＰＵ１２０は、カフェアイコンＣｉが選択されると、地図アプリにおける操作ボタンとしての機能をカフェアイコンＣｉに割り当てるようにした。そしてＣＰＵ１２０は、カフェアイコンＣｉに対する操作入力に基づいて、周辺カフェの情報に関連する情報に対する操作入力を受け付けるようにした。
【０２８２】
これに限らずＣＰＵ１２０は、周辺カフェの情報に関連する情報に対する操作を行うための操作ボタンとしての機能を割り当てるのであれば、この他種々の機能をカフェアイコンＣｉに割り当ててもよい。またＣＰＵ１２０は、当該機能の割り当てによりカフェアイコンＣｉの形状を種々の形状に変化させるようにしてもよいし、形状を変化させなくてもよい。またＣＰＵ１２０は、カフェアイコンＣｉに対するこの他種々の操作入力に応じて、周辺カフェの情報に対する種々の操作入力を受け付けるようにしてもよい。
【０２８３】
［３−１１．他の実施の形態１１］
さらに上述した第１及び第２の実施の形態では、情報処理装置１又は１０としての携帯端末１００又は２００に、制御部２又は１２としてのＣＰＵ１２０を設けるようにした。
【０２８４】
また上述した他の実施の形態では、情報処理装置１としての携帯端末１００に、制御部２としてのＣＰＵ１２０に加え、筐体としての第２筐体１０２と、タッチスクリーンとしての第２タッチスクリーン１０５を設けるようにした。
【０２８５】
これに限らず、同様の機能を有するのであれば、上述した携帯端末１００又は２００の各部を、他の種々のハードウェアもしくはソフトウェアにより構成するようにしてもよい。
【０２８６】
また上述した実施の形態では、情報処理装置の表示部及び入力部として、液晶パネルとタッチパネルとで構成されるタッチスクリーンを設けるようにしたが、この代わりにタッチパネル機能を有する液晶ディスプレイを設けるなどしてもよい。またタッチパネルの代わりに、例えば十字キーなどのハードウェアボタンを設けるようにしてもよい。また、液晶パネルの代わりに、例えば有機ＥＬ（Electro  Luminescence）ディスプレイを設けるなどしてもよい。
【０２８７】
さらに上述した第１及び第２の実施の形態では、携帯端末１００又は２００に本発明を適用するようにした。これに限らず、アプリケーションを起動させる情報処理装置であれば、例えば携帯型電話機、ＰＤＡ(Personal Digital Assistant)など、この他種々の情報処理装置に適用するようにしてもよく、また適用することができる。
【０２８８】
［３−１２．他の実施の形態１２］
さらに上述した実施の形態では、各種処理を実行するためのプログラムを、携帯端末１００のＲＯＭ１２１又は記憶部１２８に書き込んでおくようにした。
【０２８９】
これに限らず、このプログラムを例えばメモリカードなどの記憶媒体に記録しておき、携帯端末１００のＣＰＵ１２０が、このプログラムを記憶媒体から読み出して実行するようにしてもよい。またＲＯＭ１２１の代わりに、フラッシュメモリを設けるようにして、記憶媒体から読み出したプログラムを、このフラッシュメモリにインストールするようにしてもよい。
【０２９０】
［３−１３．他の実施の形態１３］
さらに本発明は、上述した第１及び第２の実施の形態と他の実施の形態とに限定されるものではない。すなわち本発明は、上述した第１及び第２の実施の形態と他の実施の形態の一部または全部を任意に組み合わせた形態、もしくは一部を抽出した形態にもその適用領域が及ぶものである。
【０２９１】
例えば第１の実施の形態と他の実施の形態８とを組み合わせるようにしてもよい。この場合、例えばタッチスクリーンを１つ有する携帯端末２００において、ＣＰＵ１２０は、アプリにおいて新着情報が取得された場合、アプリアイコンＡｉに隣接させて新着アイコンＮｉを表示させる。そしてＣＰＵ１２０は、新着アイコンＮｉが選択されると、アプリアイコンＡｉ及び新着アイコンＮｉを表示させたまま、当該アプリアイコンＡｉ及び新着アイコンＮｉに重ならない位置に新着概要ウィンドウＮｗを表示させる。
【０２９２】
また例えば第１の実施の形態と他の実施の形態１０とを組み合わせるようにしてもよい。この場合、例えばタッチスクリーンを１つ有する携帯端末２００において、ＣＰＵ１２０は、タップ操作により新着アイコンＮｉが選択されると、新着概要情報を示す新着概要ウィンドウＮｗを表示させる。これと共にＣＰＵ１２０は、新着概要情報をスクロールさせるための操作ボタンとしての機能を新着アイコンＮｉに割り当て、新着アイコンＮｉの形状を例えば十字ボタンの形状に変化させる。そしてＣＰＵ１２０は、当該十字ボタンに対する操作に応じて新着概要情報をスクロールさせるようにしてもよい。
【産業上の利用可能性】
【０２９３】
本発明は、アプリケーションを起動させる例えば携帯端末などの情報処理装置で広く利用することができる。
【符号の説明】
【０２９４】
１、１０……情報処理装置、２、１１……制御部、３……第１の表示部、４、１３……入力部、５……第２の表示部、１２……表示部、１００、２００……携帯端末、１０１……第１筐体、１０２……第２筐体、１０４……第１タッチスクリーン、１０４Ａ……第１液晶パネル、１０４Ｂ……第１タッチパネル、１０５……第２タッチスクリーン、１０５Ａ……第２液晶パネル、１０５Ｂ……第２タッチパネル、１２０……ＣＰＵ、１２１……ＲＯＭ、１２８……記憶部、１３１……無線通信部、２０１……筐体、２０２……タッチスクリーン、２０２Ａ……液晶パネル、２０２Ｂ……タッチパネル、Ａｉ……アプリアイコン、Ｃｉ……カフェアイコン、Ｎｉ……新着アイコン、Ｎｗ……新着概要ウィンドウ。
【図１】
2011053790.tif 000003
【図２】
2011053790.tif 000004
【図３】
2011053790.tif 000005
【図４】
2011053790.tif 000006
【図５】
2011053790.tif 000007
【図６】
2011053790.tif 000008
【図７】
2011053790.tif 000009
【図８】
2011053790.tif 000010
【図９】
2011053790.tif 000011
【図１０】
2011053790.tif 000012
【図１１】
2011053790.tif 000013
【図１２】
2011053790.tif 000014
【図１３】
2011053790.tif 000015
【図１４】
2011053790.tif 000016
【図１５】
2011053790.tif 000017
【図１６】
2011053790.tif 000018
【図１７】
2011053790.tif 000019
【図１８】
2011053790.tif 000020
【図１９】
2011053790.tif 000021
【図２０】
2011053790.tif 000022